(57)【特許請求の範囲】
【請求項１】
入賞率を変換する開閉部材を備えたパチンコ機の玉入賞装置において、開閉部材と一体に回動する二股状溝を有する作動部材と、この作動部材の内側に係合する突片により開閉両方向に作動部材を駆動する駆動部材とを備え、かつ前記二股状溝の前記突片との係合面を、閉の状態又は開閉の両状態において前記突片の移動方向とほぼ平行となる形状としたことを特徴とするパチンコ機の玉入賞装置。
【請求項２】
駆動部材を回転式とした請求項１に記載のパチンコ機の玉入賞装置。
【請求項３】
左右一対の開閉部材に対応させて設けられた左右一対の駆動部材を、単一の駆動源により駆動する請求項１に記載のパチンコ機の玉入賞装置。
【発明の詳細な説明】
【０００１】
【発明の属する技術分野】
本発明は、入賞率を変換する開閉部材を備えたパチンコ機の玉入賞装置に関するものである。
【０００２】
【従来の技術】
入賞率を変換する開閉部材を備えたパチンコ機の玉入賞装置は、ソレノイド等の駆動源により開閉部材を駆動している。このような玉入賞装置は、万一ソレノイドが動作不良を起こしても開閉部材が開いたままにならないよう、開閉部材を開く動作のみをソレノイドにより行わせ、開閉部材を閉じる動作はリターンスプリングにより行わせているのが普通である。
【０００３】
ところがこの形式の玉入賞装置では、リターンスプリングを十分強力なものとしておかないと、開閉部材が外力を受けたときに開閉部材が開いてしまうおそれがある。しかしリターンスプリングを強力にすると、その力に抗して開閉部材を開くためにソレノイドも強力なものとしなければならず、その結果として開閉部材の駆動部分が大型化することが避けられないという問題があった。
【０００４】
【発明が解決しようとする課題】
本発明は上記した従来の問題点を解決して、強力なリターンスプリングを用いなくても外力により開閉部材が開いてしまうおそれのないようにしたパチンコ機の玉入賞装置を提供するためになされたものである。
【０００５】
【課題を解決するための手段】
上記の課題を解決するためになされた本発明は、入賞率を変換する開閉部材を備えたパチンコ機の玉入賞装置において、開閉部材と一体に回動する二股状溝を有する作動部材と、この作動部材の内側に係合する突片により開閉両方向に作動部材を駆動する駆動部材とを備え、かつ前記二股状溝の前記突片との係合面を、閉の状態又は開閉の両状態において前記突片の移動方向とほぼ平行となる形状としたことを特徴とするものである。
【０００６】
本発明のパチンコ機の玉入賞装置は、ソレノイド等の駆動源により駆動される駆動部材の突片を作動部材の二股状溝と係合させ、作動部材とともに開閉部材を開閉させるものである。そして作動部材の二股状溝の前記突片との係合面を、閉の状態又は開閉の両状態において前記突片の移動方向とほぼ平行となる形状としたので、開閉部材及び作動部材が開き方向の外力を受けても、突片を移動させることができない。従ってソレノイド等の駆動源により突片を移動させない限りはロックされた状態となり、外力により開閉部材が誤って開いてしまうおそれがない。このため開閉部材の開きを従来のように強力なリターンスプリングで防止する必要がなくなり、装置の小型化を図ることができる。
【０００７】
【発明の実施の形態】
以下に本発明の好ましい実施の形態を示す。なおこの実施の形態は、本発明を特許第２６１２４３２号の玉係留機能付きの玉入賞装置に適用したものであるが、本発明はこれ以外にも様々な形式の玉入賞装置に適用することができる。
【０００８】
図１は玉入賞装置の閉の状態を示す図であり、(A) は正面図、(B) は背面図、図２は玉入賞装置の開の状態を示す図であり、(A) は正面図、(B) は背面図、図３は閉の状態を示す表側の斜視図、図４は開の状態を示す裏側の斜視図及び分解斜視図である。
【０００９】
これらの図において、１はパチンコ盤に取り付けられる基盤、２はその前面に設けられたカバーである。基盤１の上部の左右にはそれぞれ入賞口３が形成されており、カバー２の上面には特定入賞口４が形成されている。基盤１の前面には２枚の開閉部材５が軸６により開閉可能に取り付けられている。軸６は基盤１を貫通して裏側に延び、その先端には二股状溝７を有する作動部材８が取り付けられている。なお、軸６の両端部分は非円形の断面を有し、開閉部材５と作動部材８とが常に一体に回動するようになっている。
【００１０】
これらの２枚の開閉部材５は、図１、図３のように上方に回転した閉の状態では左右の入賞口３を閉鎖するとともに、特定入賞口４に玉が入ることを防止している。しかし図２のように下方に回転した開の状態では左右の入賞口３を開くとともに、中央に１個の玉を保持してその後に開閉部材５が上方に回転するとき、特定入賞口４に１個の玉が入るような構造となっている。
【００１１】
基盤１の裏面に取り付けられるフレーム９の中央には、駆動源であるソレノイド１０が上下方向に取り付けられている。このソレノイド１０のプランジャ１１の下端にはフランジ状部１２が形成されている。また基盤１の裏面には、左右一対の駆動部材１３が軸１４により回転自在に軸支されている。各駆動部材１３の内側にはソレノイド１０のフランジ状部１２をはめ込む溝１５が形成されており、ソレノイド１０のプランジャ１１を昇降させることによって、各駆動部材１３を同時に回動させることができる。なおソレノイド１０のプランジャ１１の回りにはリターンスプリング１６が設けられており、常時プランジャ１１を下向きに押圧している。そしてソレノイド１０に通電されたときに、プランジャ１１がリターンスプリング１６に抗して上方に移動するようになっている。
【００１２】
これらの駆動部材１３の外側端には、作動部材８の二股状溝７と係合することができる先細の突片１７が形成されており、その先端はゆるやかな円弧を描いたフラット面となっている。図５に示すように、この駆動部材１３の突片１７はソレノイド１０のプランジャ１１がリターンスプリング１６の力により下方に作動したときに上方に動き、作動部材８を上方に押して２枚の開閉部材５を閉の状態とする。またソレノイド１０に通電されプランジャ１１が上方に移動したときには、作動部材８を下方に押して２枚の開閉部材５を開の状態とする。
【００１３】
図５に示すように、駆動部材８の二股状溝７はこの閉の状態において、突片１７との係合面１８が突片１７の移動方向とほぼ平行となる形状となっている。またこの実施形態では、図６に示すように開の状態においても二股状溝７の突片１７との係合面１９が、突片１７の移動方向とほぼ平行となる形状となっている。このため、開閉部材５及び作動部材８が開き方向の外力を受けても、駆動部材８の二股状溝７の係合面１８、１９は突片１７を軸１４の方向に押すだけであり、突片１７を移動（回転）させることができずロックされた状態となる。
【００１４】
従って図５や図６に示す開閉の両状態においては、ソレノイド１０により突片１７を積極的に移動させない限りは駆動部材１３及び開閉部材５はロックされた状態となり、外力により開閉部材５が動いてしまうおそれがない。このロック状態はリターンスプリング１６の力に依存しないため、開閉部材５の開きを従来のように強力なリターンスプリングで防止する必要がなくなり、装置の小型化を図ることができる。なお、開閉部材５が誤って開かないようにすることがより重要であるから、少なくとも閉の状態において上記のロックが機能すればよく、開の状態のロックは省略することもできる。
【００１５】
【発明の効果】
以上に説明したように、本発明のパチンコ機の玉入賞装置は、開閉部材と一体に回動する二股状溝と作動部材の突片との係合面を、閉の状態又は開閉の両状態において突片の移動方向とほぼ平行となる形状としたことによりロック機能を付与したものである。従って従来のような強力なリターンスプリングを用いなくても外力により開閉部材が開いてしまうおそれがなく、駆動部分の小型化を図ることができる。
【図面の簡単な説明】
【図１】本発明の玉入賞装置の閉の状態を示す図であり、(A) は正面図、(B) は背面図である。
【図２】本発明の玉入賞装置の開の状態を示す図であり、(A) は正面図、(B) は背面図である。
【図３】閉の状態を示す表側の斜視図である。
【図４】閉の状態を示す裏側の斜視図及び分解斜視図である。
【図５】閉の状態を示す要部の拡大図である。
【図６】開の状態を示す要部の拡大図である。
【符号の説明】
１  基盤
２  カバー
３  入賞口
４  特定入賞口
５  開閉部材
６  軸
７  二股状溝
８  作動部材
９  フレーム
１０  ソレノイド
１１  ソレノイドのプランジャ
１２  フランジ状部
１３  駆動部材
１４  軸
１５  溝
１６  リターンスプリング
１７  突片
１８  係合面
１９  係合面
【図１】
0004023881.tif 000002
【図２】
0004023881.tif 000003
【図３】
0004023881.tif 000004
【図４】
0004023881.tif 000005
【図５】
0004023881.tif 000006
【図６】
0004023881.tif 000007